(57)【特許請求の範囲】
【請求項１】
スチームを発生させる気化室を有するベースと、後部を開放方向とした略Ｕ字状で前記ベースに固定されて加熱するヒータと、前記気化室に供給する水を蓄える水タンクと、前記ベースの下面に設けられ、前記気化室と連通された複数のスチーム穴と、複数の窪みと前記窪みをつなぐ凹部とを有するかけ面とを備え、前記スチーム穴は前記ベースを平面視して前記ヒータの外側に沿って設けられ、前記窪みは前記スチーム穴に沿って複数列をなすように配設され、前記窪みのうち最も外側の列の第１の窪みは、略楕円形状で長径が前記ヒータと平面視で交差するように複数形成されるとともに、そのうち一部の内部に前記スチーム穴を含むように設けられ、前記凹部は、平面視して前記ヒータに対応する位置に略Ｕ字状に形成されるとともに、前記第１の窪みの内側の一端を互いにつなげるように形成されたスチームアイロン。
【発明の詳細な説明】
【技術分野】
【０００１】
本発明は、衣類等のしわ伸ばしに用いられるスチームアイロンに関するものである。
【背景技術】
【０００２】
従来、この種のスチームアイロン１００は、かけ面１０１に複数のスチーム穴１０２を略Ｕ字状列に配置したものが一般的だった（例えば、特許文献１参照）。図４は、前記特許文献１に記載された従来のスチームアイロンを示すものである。
【特許文献１】実公昭４８−０２８０７３号公報
【発明の開示】
【発明が解決しようとする課題】
【０００３】
ここで、アイロンかけによるしわの伸ばしのメカニズムを説明すると、かけ面のスチーム穴から噴出された蒸気によって、衣類の繊維は熱と水分で膨潤し、繊維の変形部すなわち衣類しわは軟化し、その後直ちに通過するかけ面の熱と面圧力で平面に成形乾燥されて、衣類のしわが伸ばされる。しかしながら、従来の構成では、スチーム穴から出た蒸気と衣類との接触面積は小さく、噴出された蒸気で衣類を蒸す作用が不十分で、衣類のしわ伸ばしを効率良く仕上げられないという課題があった。
【０００４】
本発明は、前記従来の課題を解決するもので、スチーム量を増やすことなく、噴出された蒸気と衣類との接触面積を大きくすることで十分に衣類を蒸し、しわ伸ばしを効率よく仕上げられるスチームアイロンを提供することを目的とする。
【課題を解決するための手段】
【０００５】
前記従来の課題を解決するために、本発明のスチームアイロンは、スチームを発生させる気化室を有するベースと、後部を開放方向とした略Ｕ字状で前記ベースに固定されて加熱するヒータと、前記気化室に供給する水を蓄える水タンクと、前記ベースの下面に設けられ、前記気化室と連通された複数のスチーム穴と、複数の窪みと前記窪みをつなぐ凹部とを有するかけ面とを備え、前記スチーム穴は前記ベースを平面視して前記ヒータの外側に沿って設けられ、前記窪みは前記スチーム穴に沿って複数列をなすように配設され、前記窪みのうち最も外側の列の第１の窪みは、略楕円形状で長径が前記ヒータと平面視で交差するように複数形成されるとともに、そのうち一部の内部に前記スチーム穴を含むように設けられ、前記凹部は、平面視して前記ヒータに対応する位置に略Ｕ字状に形成されるとともに、前記第１の窪みの内側の一端を互いにつなげるように形成されたもので、スチーム穴より噴出された蒸気はスチーム穴内の窪み空間で衣類を蒸すばかりでなく、つながっている窪み空間にも広がり衣類をさらに連続的に蒸し、その後かけ面が通過するまで十分に衣類の繊維を膨潤しておくことができるのである。
特に、略Ｕ字状のヒータがベースに固定されており、複数のスチーム穴の少なくとも一部をつなげる凹部は、平面視してヒータに対応する位置に略Ｕ字状に形成されているので、凹部はヒータにより高温を保つことができ、スチーム穴から発生し凹部を通るスチームは凝縮することなく衣類に付着することができる。
【発明の効果】
【０００６】
本発明のスチームアイロンはスチーム量を増やすことなく、噴出された蒸気で十分に衣類を蒸し、しわ伸ばしを効率よく仕上げることができる。
【発明を実施するための最良の形態】
【０００７】
請求項１に係るスチームアイロンは、スチームを発生させる気化室を有するベースと、後部を開放方向とした略Ｕ字状で前記ベースに固定されて加熱するヒータと、前記気化室に供給する水を蓄える水タンクと、前記ベースの下面に設けられ、前記気化室と連通された複数のスチーム穴と、複数の窪みと前記窪みをつなぐ凹部とを有するかけ面とを備え、前記スチーム穴は前記ベースを平面視して前記ヒータの外側に沿って設けられ、前記窪みは前記スチーム穴に沿って複数列をなすように配設され、前記窪みのうち最も外側の列の第１の窪みは、略楕円形状で長径が前記ヒータと平面視で交差するように複数形成されるとともに、そのうち一部の内部に前記スチーム穴を含むように設けられ、前記凹部は、平面視して前記ヒータに対応する位置に略Ｕ字状に形成されるとともに、前記第１の窪みの内側の一端を互いにつなげるように形成されたもので、スチーム穴より噴出された蒸気は、スチーム穴内の空間と、スチーム穴に沿わせて複数列設けた窪み内の空間にも存在し衣類をさらに蒸し、その後かけ面が通過するまで十分に衣類の繊維を膨潤しておくことができる。
特に、略Ｕ字状のヒータがベースに固定されており、複数のスチーム穴の少なくとも一部をつなげる凹部は、平面視してヒータに対応する位置に略Ｕ字状に形成されているので、凹部はヒータにより高温を保つことができ、スチーム穴から発生し凹部を通るスチームは凝縮することなく衣類に付着することができる。
【００１０】
以下、本発明の実施の形態について、図面を参照しながら説明する。なお、本実施の形態によって本発明が限定されるものではない。
【００１１】
（実施の形態１）
図１は、本発明の第１の実施の形態におけるスチームアイロンの正面図、図２は、同スチームアイロンのベースかけ面を示した単面図、図３は、図２のＡ−Ａ部分断面図である
図１〜図３において、ベース１には、図２に破線で示したように、平面視してベース１の後部を開放方向とした略Ｕ字状のヒータ２が埋設されており、ベース１をアイロン掛けに適切な温度に加熱する。また、ベース１の上部でヒータ２の内側にはスチームを発生させるための気化室３が形成されている。
【００１２】
また、ベース１のかけ面４は略中央部を頂点とした後方に凸面形状にしてあり、かけ面４の略中央部には窪み６を有さない領域を設けている。また、かけ面４の後端部にも、前後方向所定長さに亘り窪み６を有さない領域を設けている。
【００１３】
また、窪み６は、内部にスチーム穴５が設けられているものと設けられていないものとが存在する。
【００１４】
窪み６は、スチーム穴５に沿って複数列をなすように配設してある。そして、最も外側の列の窪み６の一部の内部にスチーム穴５が設けられてあり、この最も外側の列の窪み６の内側の一端が互いに凹部９によってつながっている。
【００１５】
この構成により、一部の窪み６で発生したスチームは、スチーム穴５に沿わせて複数列設けたスチーム穴がない窪み６内の空間にも存在し衣類をさらに蒸し、その後かけ面４が通過するまで十分に衣類の繊維を膨潤しておくことができる。
【００１６】
また、窪み６の全てにスチーム穴５を設けなくても凹部９を通じてスチームを窪み６に供給することができるので、コスト削減を実行することができる。また、スチーム穴５をベース１の前部に固め、気化室３をベースの上部に設け、ベース１の上方後部の設計度を向上させることも可能になる。
【００１７】
また、略Ｕ字状のヒータ２がベース１に固定されており、複数のスチーム穴５の少なくとも一部をつなげる凹部９は、平面視してヒータ２に対応する位置に略Ｕ字状に形成されているので、凹部９はヒータ２により高温を保つことができ、スチーム穴５から発生し凹部９を通るスチームは凝縮することなく衣類に付着することができる。
【００１８】
ヒータ２の外側には複数のスチーム穴５が連続的に設けられ、前気化室３に連通している。窪み６は、スチーム穴５の空間５ａを連続して連通する。水タンク７は気化室３に供給する水を貯えており、スチームボタン８は外部操作によって水タンク７の水を気化室３
に供給、停止を行う。
【００１９】
以上のように構成されたスチームアイロンの作用、動作について、以下に説明する。
【００２０】
まず、スチームボタン８を操作して水タンク７内の水を気化室３に供給すると、気化室３で蒸気が発生し、スチーム穴５から外部に噴出され、スチームを活用したアイロンかけを行うことができる。
【００２１】
このとき、スチーム穴５より噴出された蒸気はスチーム穴５内の空間５ａばかりでなく、連通する窪み６および凹部９空間にも広がり広範囲に衣類を蒸し、その後かけ面４が通過するまで十分に衣類の繊維を膨潤しておくことができる。
【産業上の利用可能性】
【００２２】
以上のように、本発明にかかるスチームアイロンは、スチーム量を増やすことなく、噴出された蒸気で十分に衣類を蒸し、しわ伸ばしを効率よくしあげることができるもので、家庭用、業務用のスチームアイロンに広く適用できる。
【図面の簡単な説明】
【００２３】
【図１】本発明の実施の形態１におけるスチームアイロン正面図
【図２】同スチームアイロンのベースかけ面を示した平面図
【図３】図２のＡ−Ａ部分断面図
【図４】従来技術のアイロン断面図
【符号の説明】
【００２４】
１  ベース
２  ヒータ
３  気化室
４  かけ面
５  スチーム穴
６  窪み
７  水タンク
９  凹部
【図１】
0004872968.tif 000002
【図２】
0004872968.tif 000003
【図３】
0004872968.tif 000004
【図４】
0004872968.tif 000005